(57)【要約】      （修正有）【課題】様々なキーワードに関連する図書を幅広く検索することができ、特に、小中学生等の児童が知りたい内容が記載された図書を的確に検索することができる図書検索システム、該システムに用いられるデータのデータ構造、該データが記録されたコンピュータ読み取り可能な記録媒体、及び図書検索システムの構築方法を提供する。【解決手段】教科書、学習指導要領、教員用指導書における小中学生の学習項目、及び小中学生の日常生活における興味・関心の対象、及び出版されている図書、の少なくとも一つの題材から抽出した「キーワード」と、この「キーワード」毎に付された「キーワードコード」を記録管理し、検索キーとして入力された「キーワード」に基づいて、「キーワードコード」を文書中に含む書誌データを抽出する。【選択図】図１
2005215736.tif 000002
【特許請求の範囲】
【請求項１】
教科書、学習指導要領、教員用指導書における小中学生の学習項目、及び小中学生の日常生活における興味・関心の対象、及び出版されている図書、の少なくとも一つの題材から抽出したキーワードと、該キーワード毎に付されたキーワードコードと、を記録する基本ファイルと、
前記キーワードを文書中に含む書籍の書籍コードと、前記キーワードのキーワードコードと、を関連付けして記録する管理ファイルと、
前記書籍に関する書誌データを記録する書誌データファイルと、
検索キーとして入力された前記キーワードに基づいて、前記基本ファイルから前記キーワードコードを抽出する基本ファイル検索手段と、
該基本ファイル検索手段によって抽出された前記キーワードコードに基づいて、前記管理ファイルから前記書籍コードを抽出する管理ファイル検索手段と、
該管理ファイル検索手段によって抽出された前記書籍コードに基づいて、前記書誌データファイルから前記書誌データを抽出する書誌データファイル検索手段と、
少なくとも前記キーワードと、該キーワードを検索キーとして抽出された前記書誌データが関連付けされた検索結果データを作成する検索結果データ作成手段と、有してなる
ことを特徴とする図書検索システム。
【請求項２】
請求項１において、
更に、ネットワーク通信手段を備え、前記検索キーをネットワークに接続されたパソコンから受信可能とすると共に、前記検索結果データを前記パソコンに送信可能としたこと
ことを特徴とする図書検索システム。
【請求項３】
請求項１又は２において、
前記基本ファイルにおけるキーワードは、統一キーワードと、該統一キーワードに対して下位概念となる複数の下位概念キーワード、又は複数の前記統一キーワードの上位概念となる上位概念キーワードからなる参照キーワードと、を有してなる
ことを特徴とする図書検索システム。
【請求項４】
請求項３において、
前記統一キーワード及び前記参照キーワードは互いにリンクされ、相互に参照可能とされている
ことを特徴とする図書検索システム。
【請求項５】
請求項１乃至４のいずれかにおいて、
前記基本ファイルは、更に、前記キーワードと関連付けされた、該キーワードに関連する書籍の分類符号を含んでなり、該分類符号近傍の他の分類符号に関連付けされたキーワードを前記検索キーとして図書の検索を可能とした
ことを特徴とする図書検索システム。
【請求項６】
請求項１乃至５のいずれかにおいて、
前記基本ファイルは、更に、前記キーワードと関連付けされたテーマコードを含んでなり、該テーマコードは、小中学生成長の過程で必要と思われる項目、教師や父母が子供たちの成長にとって必要と思われる項目、及び出版されている図書、の少なくとも１つの題材から抽出したテーマと、該テーマを細分化して構成したサブテーマと、を有してなる
ことを特徴とする図書検索システム。
【請求項７】
請求項１乃至６のいずれかにおいて、
前記管理ファイルは、更に、前記キーワードコードと関連付けされた、前記書籍における前記キーワードが記載されたページのページ番号及び前記書籍の主な対象学年のデータの少なくとも一方を含んでなり、該ページ番号及び対象学年のデータの少なくとも一方を、前記キーワードコードに基づいて前記管理ファイル検索手段によって抽出すると共に、前記検索結果データ作成手段によって前記キーワードと関連付けされた検索結果データを作成可能とした
ことを特徴とする図書検索システム。
【請求項８】
請求項１乃至７のいずれかにおいて、
前記管理ファイルは、更に、前記書籍のあらすじが格納される図書解説データを含んでなる
ことを特徴とする図書検索システム。
【請求項９】
請求項１乃至８のいずれかにおいて、
更に、前記キーワード及びそのキーワードコードに関連付けされた、小中学生用教科書の学習単元からなる教科書キーワードを記録した教科書キーワードファイルを備え、該教科書キーワードファイルにおける教科書キーワードを前記検索キーとして図書の検索を可能としたことを特徴とする図書検索システム。
【請求項１０】
教科書、学習指導要領、教員用指導書における小中学生の学習項目、及び小中学生の日常生活における興味・関心の対象、及び出版されている図書、の少なくとも一つの題材から抽出したキーワードと、該キーワード毎に付されたキーワードコードと、を記録する基本ファイルと、
前記キーワードを文書中に含む書籍の書籍コードと、前記キーワードのキーワードコードと、を関連付けして記録する管理ファイルと、
前記書籍に関する書誌データを記録する書誌データファイルと、を含んでなる
ことを特徴とする図書検索システム用データのデータ構造。
【請求項１１】
請求項１０において、
前記基本ファイルにおけるキーワードは、統一キーワードと、該統一キーワードに対して下位概念となる複数の下位概念キーワード、又は複数の前記統一キーワードの上位概念となる上位概念キーワードからなる参照キーワードと、を有してなる
ことを特徴とする図書検索システム用データのデータ構造。
【請求項１２】
請求項１１において、
前記統一キーワード及び前記参照キーワードは互いにリンクされ、相互に参照可能とされている
ことを特徴とする図書検索システム用データのデータ構造。
【請求項１３】
請求項１０乃至１２のいずれかにおいて、
前記基本ファイルは、更に、前記キーワードと関連付けされた、該キーワードに関連する書籍の分類符号を含んでなる
ことを特徴とする図書検索システム用データのデータ構造。
【請求項１４】
請求項１０乃至１３のいずれかにおいて、
前記基本ファイルは、更に、前記キーワードと関連付けされたテーマコードを含んでなり、該テーマコードは、小中学生成長の過程で必要と思われる項目、教師や父母が子供たちの成長にとって必要と思われる項目、及び出版されている図書、の少なくとも１つの題材から抽出したテーマと、該テーマを細分化して構成したサブテーマと、を有してなる
ことを特徴とする図書検索システム用データのデータ構造。
【請求項１５】
請求項１０乃至１４のいずれかにおいて、
前記管理ファイルは、更に、前記キーワードコードと関連付けされた、前記書籍における前記キーワードが記載されたページのページ番号及び前記書籍の主な対象学年のデータの少なくとも一方を含んでなる
ことを特徴とする図書検索システム用データのデータ構造。
【請求項１６】
請求項１０乃至１５のいずれかにおいて、
前記管理ファイルは、更に、前記書籍のあらすじが格納される図書解説データを含んでなる
ことを特徴とする図書検索システム用データのデータ構造。
【請求項１７】
請求項１０至１６のいずれかにおいて、
更に、前記キーワード及びそのキーワードコードに関連付けされた、小中学生用教科書の学習単元からなる教科書キーワードを記録した教科書キーワードファイルを備えた
ことを特徴とする図書検索システム用データのデータ構造。
【請求項１８】
請求項１０乃至１７のいずれかに記載のデータ構造を有するデータが記録されたコンピュータ読み取り可能な記録媒体。
【請求項１９】
教科書、学習指導要領、教員用指導書における小中学生の学習項目、及び小中学生の日常生活における興味・関心の対象、及び出版されている図書、の少なくとも一つの題材からキーワードを抽出する過程と、
前記キーワードと、該キーワード毎に付されたキーワードコードと、を関連付けて記録する過程と、
前記キーワードを文書中に含む書籍の書籍コードと、前記キーワードのキーワードコードと、を関連付けして記録する過程と、
前記書籍に関する書誌データを記録する過程と、を有してなる
ことを特徴とする図書検索システムの構築方法。
【発明の詳細な説明】
【技術分野】
【０００１】
本発明は、図書の検索に関し、特に、小中学生等の児童用図書の図書検索システム、該システムに用いられるデータのデータ構造、該データが記録されたコンピュータ読み取り可能な記録媒体、及び図書検索システムの構築方法に関する。
【背景技術】
【０００２】
従来、検索対象の図書を、図書の題名や作者名等を手がかりとして検索できるようにした図書検索システムが広く知られている。
【０００３】
例えば、図１４に示される従来公知の図書検索システム１は、図書データを記憶するデータ記憶部２と、検索対象となる図書に関するキーワードを入力する入力部３と、キーワード情報によって所定の条件を満たす図書をデータ記憶部２から抽出するデータ抽出部４と、抽出された図書データを表示する表示部５と、を備えている（特許文献１参照）。
【０００４】
データ記憶部２には、図１５に示されるように、題名、作者名、出版社名等の情報を有する書誌データと、図書を読解することによって得られる読解データと、図書の画像情報を有する画像データが互いに関連付けされ、記憶されている。
【０００５】
この図書検索システム１は、利用者が図書の題名、作者名、出版社名等を正確に記憶していない場合であっても、図書の内容や画像を手がかりとして、検索対象の図書が検索できるようにしたものである。
【０００６】
【特許文献１】特開２００２−１３２７８６号公報
【発明の開示】
【発明が解決しようとする課題】
【０００７】
しかしながら、この従来公知の図書検索システム１は、図書の内容や画像等、図書に関連した情報のみを検索の手がかりとしているため、図書に関連しないキーワードに基づいた検索が難しく、特に、小中学生等の児童が図書を使って、いわゆる「調べ学習」をするような場合、児童が知りたい内容が分かる図書を探し出すことは極めて困難であった。
【０００８】
本発明は、このような問題点を解決するためになされたものであって、様々なキーワードに関連する図書を幅広く検索することができ、特に、小中学生等の児童が知りたい内容が記載された図書を的確に検索することができる図書検索システム、該システムに用いられるデータのデータ構造、該データが記録されたコンピュータ読み取り可能な記録媒体、及び図書検索システムの構築方法を提供することを目的とする。
【課題を解決するための手段】
【０００９】
本発明は、教科書、学習指導要領、教員用指導書における小中学生の学習項目、及び小中学生の日常生活における興味・関心の対象、及び出版されている図書、の少なくとも一つの題材から抽出したキーワードと、該キーワード毎に付されたキーワードコードと、を記録する基本ファイルと、前記キーワードを文書中に含む書籍の書籍コードと、前記キーワードのキーワードコードと、を関連付けして記録する管理ファイルと、前記書籍に関する書誌データを記録する書誌データファイルと、検索キーとして入力された前記キーワードに基づいて、前記基本ファイルから前記キーワードコードを抽出する基本ファイル検索手段と、該基本ファイル検索手段によって抽出された前記キーワードコードに基づいて、前記管理ファイルから前記書籍コードを抽出する管理ファイル検索手段と、該管理ファイル検索手段によって抽出された前記書籍コードに基づいて、前記書誌データファイルから前記書誌データを抽出する書誌データファイル検索手段と、少なくとも前記キーワードと、該キーワードを検索キーとして抽出された前記書誌データが関連付けされた検索結果データを作成する検索結果データ作成手段と、を有してなることによって、上記課題を解決したものである。
【００１０】
なお、更に、ネットワーク通信手段を備え、前記検索キーをネットワークに接続されたパソコンから受信可能とすると共に、前記検索結果データを前記パソコンに送信可能としてもよい。
【００１１】
又、前記基本ファイルにおけるキーワードは、統一キーワードと、該統一キーワードに対して下位概念となる複数の下位概念キーワード、又は複数の前記統一キーワードの上位概念となる上位概念キーワードからなる参照キーワードと、を有してなるものでもよく、又、この場合には、前記統一キーワード及び前記参照キーワードは互いにリンクされ、相互に参照可能とされていてもよい。
【００１２】
前記基本ファイルは、更に、前記キーワードと関連付けされた、該キーワードに関連する書籍の分類符号を含んでなり、該分類符号近傍の他の分類符号に関連付けされたキーワードを前記検索キーとして図書の検索を可能としてもよい。
【００１３】
又、前記基本ファイルは、更に、前記キーワードと関連付けされたテーマコードを含んでなり、該テーマコードは、小中学生成長の過程で必要と思われる項目、教師や父母が子供たちの成長にとって必要と思われる項目、及び出版されている図書、の少なくとも１つの題材から抽出したテーマと、該テーマを細分化して構成したサブテーマと、を有してなるものでもよい。
【００１４】
前記管理ファイルは、更に、前記キーワードコードと関連付けされた、前記書籍における前記キーワードが記載されたページのページ番号及び前記書籍の主な対象学年のデータの少なくとも一方を含んでなり、該ページ番号及び対象学年のデータの少なくとも一方を、前記キーワードコードに基づいて前記管理ファイル検索手段によって抽出すると共に、前記検索結果データ作成手段によって前記キーワードと関連付けた検索結果データを作成可能としてもよい。
【００１５】
又、前記管理ファイルは、更に、前記書籍のあらすじが格納される図書解説データを含んでなるものでもよい。
【００１６】
更に、前記キーワード及びそのキーワードコードに関連付けされた、小中学生用教科書の学習単元からなる教科書キーワードを記録した教科書キーワードファイルを備え、該教科書キーワードファイルにおける教科書キーワードを前記検索キーとして図書の検索を可能としてもよい。
【００１７】
なお、教科書、学習指導要領、教員用指導書における小中学生の学習項目、及び小中学生の日常生活における興味・関心の対象、及び出版されている図書、の少なくとも一つの題材から抽出したキーワードと、該キーワード毎に付されたキーワードコードと、を記録する基本ファイルと、前記キーワードを文書中に含む書籍の書籍コードと、前記キーワードのキーワードコードと、を関連付けして記録する管理ファイルと、前記書籍に関する書誌データを記録する書誌データファイルと、を含んでなる図書検索システム用データのデータ構造としてもよい。
【００１８】
又、このようなデータ構造を有するデータが記録されたコンピュータ読み取り可能な記録媒体としてもよい。
【００１９】
更に、教科書、学習指導要領、教員用指導書における小中学生の学習項目、及び小中学生の日常生活における興味・関心の対象、及び出版されている図書、の少なくとも一つの題材からキーワードを抽出する過程と、前記キーワードと、該キーワード毎に付されたキーワードコードと、を関連付けて記録する過程と、前記キーワードを文書中に含む書籍の書籍コードと、前記キーワードのキーワードコードと、を関連付けして記録する過程と、前記書籍に関する書誌データを記録する過程と、を有してなる図書検索システムの構築方法としてもよい。
【発明の効果】
【００２０】
本発明によれば、様々なキーワードに関連する図書を幅広く検索することができ、特に、小中学生等の児童が知りたい内容が記載された図書を的確に検索することができる。
【発明を実施するための最良の形態】
【００２１】
以下、本発明の実施形態の例を図面を参照して説明する。
【００２２】
図１に示されるように、本発明の実施形態に係る図書検索システム１０は、複数のクライアントパソコン１２と、これにインターネットなどのネットワーク１４を介して接続された１台のホストコンピュータ１６と、によって構成されている。
【００２３】
ホストコンピュータ１６は、ネットワーク１４に接続されたネットワーク通信部（ネットワーク通信手段）１８と、記憶装置２０と、を備えている。
【００２４】
ネットワーク通信部１８は、図書検索システム１０で使用する検索キー等をネットワーク１４に接続されたクライアントパソコン１２から受信すると共に、図書検索システム１０による検索結果データ等をネットワーク１４を介してクライアントパソコン１２に送信する。なお、この例では、クライアントパソコン１２に予めインストールされたＷＥＢブラウザによって、検索キーの入力及び検索結果の表示が可能となっている。
【００２５】
記憶装置２０は、図書検索システム１０に使用されるデータやプログラムを記憶するための記憶手段であり、ハードディスクや、ＤＶＤ（Digital Versatile Disc）等のコンピュータ読み取り可能な記録媒体等によって構成される。この記憶装置２０は、この例では、基本ファイルＢＦと、管理ファイルＣＦと、書誌データファイルＤＦと、基本ファイルＢＦの検索手段である基本ファイル検索部２２と、管理ファイルＣＦの検索手段である管理ファイル検索部２４と、書誌データファイルＤＦの検索手段である書誌データファイル検索部２６と、図書検索システム１０による検索結果データを作成する検索結果データ作成部（検索結果データ作成手段）２８からなる。
【００２６】
次に、基本ファイルＢＦについて詳細に説明する。
【００２７】
図２に示されるように、基本ファイルＢＦは、主に、「キーワードコード」と、「更新フラグ」と、「キーワード種別」と、「データ数」と、「キーワード」と、「キーワード（カナ読み）」と、「を見よ／をも見よ参照コード」の各項目によって構成されている。
【００２８】
「キーワード」の項目には、図書検索システム１０の検索キーとなるキーワードの文字コードが格納される。なお、基本ファイルＢＦには、「学習件名ファイル」及び「読み物・絵本キーワードファイル」の２種類が用意されており、この「キーワード」の項目には、「学習件名ファイル」の場合は「学習件名」が、又、「読み物・絵本キーワードファイル」の場合は「読み物・絵本キーワード」がそれぞれ格納される。
【００２９】
ここで、「学習件名」とは、教科書、学習指導要領、教員用指導書における小中学生の学習項目、及び小中学生の日常生活における興味・関心の対象、及び出版されている図書、の少なくとも一つの題材から抽出したキーワードをいう。
【００３０】
より具体的には、本発明における「学習件名」は、（１）教科・領域の学習で必要と思われる事項、（２）子供が日常生活の中で求める項目、（３）個別的な項目、の３つの基準によって抽出される。
【００３１】
（１）の「教科・領域の学習で必要と思われる事項」としては、小、中学校全学年に渡り、子供がどういう項目を学習するかを、「学習指導要領」、「教科書」、及び「その他の教員用指導書」などを参考にし、その中で調べる対象となるものがキーワードとして抽出される。
【００３２】
（２）の「子供が日常生活の中で求める項目」としては、子供の多岐にわたる興味・関心を、学校現場の実践の中で、子供が求めてきた項目を参考にし、できるだけ広い分野に渡ってキーワードが抽出される。
【００３３】
（３）の「個別的な項目」としては、子供は何かを調べるときには、概念的な項目で調べるよりは、より具体的、個別的な項目を調べる傾向があるため、これについて、現在出版されている図書から、調べるに足りるキーワードが抽出される。
【００３４】
一方、「読み物・絵本キーワード」とは、小中学生が成長の過程で必要としている智恵を、読み物・絵本から得る手段として、また教師や父母が子どもたちの成長の支援や指導のための読み物・絵本資料を選択する手段として、出版されている図書の内容から抽出したキーワードをいう。
【００３５】
より具体的には、本発明における「読み物・絵本キーワード」は、（１）小中学生が成長の過程で必要と思われる項目、（２）教師や父母が子どもたちの成長にとって必要と思われる項目、（３）個別的な項目、の３つの基準によって抽出される。
【００３６】
（１）の「小中学生が成長の過程で必要と思われる項目」としては、日常生活で立ち向かうことになる各種の題材や生活を豊かにするための題材、子どもたちの間で取り扱われる題材、将来のために必要な題材、子どもたちの世界を広げるための題材などを参考にし、その中で調べる対象となるものがキーワードとして抽出される。
【００３７】
（２）の「教師や父母が子どもたちの成長にとって必要と思われる項目」としては、学校生活や家庭生活で子どもたちの世界や子供と大人が関係するなかでの各種題材、大人の視点に立って、子どもたちに提供したい題材などを参考にし、その中で調べる対象となるものがキーワードとして抽出される。
【００３８】
（３）の「個別的な項目」としては、作者の伝えたい思い、知り得た情報・経験、創造の世界などの題材を参考にして、現在出版されている図書から調べるに足りるキーワードが抽出される。
【００３９】
又、「キーワード（カナ読み）」の項目には、「キーワード」のカナ読み用文字コードが格納される。例えば、「キーワード」が「血液」である場合には、「キーワード（カナ読み）」には「ケツエキ」の文字コードが格納される。このように、基本ファイルＢＦにはカナ読み用文字コードが格納されており、漢字の読めない低学年の児童でも容易に図書検索ができるようになっている。
【００４０】
「キーワードコード」には、「キーワード」に対応して一意に付けられた番号が格納される。なお、「更新フラグ」には、基本ファイルＢＦのデータ更新時に使用される情報が格納され、キーワードが新規の場合、又は修正された場合、又は削除された場合に使用される。
【００４１】
「キーワード種別」には、キーワードの種類を表す種別データが格納され、この種別データには、「統一キーワード」、「参照キーワード」、「をも見よ参照」がある。
【００４２】
「参照キーワード」は、「統一キーワード」に対して下位概念となる複数の下位概念キーワード、又は、複数の「統一キーワード」の上位概念となる上位概念キーワードによって構成される。例えば、図３（Ａ）に示されるように、「統一キーワード」を「血液」とした場合、「血液」に対して下位概念である複数の下位概念キーワード「血液型」、「血清」、「赤血球」、「血」、「白血球」が「参照キーワード」とされる。一方、図３（Ｂ）に示されるように、「貝の観察」、「気象観察」、「顕微鏡観察」、・・・、「動物観察」、「野鳥観察」等の複数のキーワードを「統一キーワード」とした場合、これらの上位概念キーワードである「観察」が「参照キーワード」とされる。
【００４３】
又、「をも見よ参照」は、上記「読み物・絵本キーワードファイル」の場合に使用され、「統一キーワード」と「参照キーワード」の間で相互に参照されるキーワードを意味する。
【００４４】
図２に戻って、「データ数」及び「を見よ／をも見よ参照コード」は、「キーワード種別」が「参照キーワード」又は「をも見よ参照」である場合に使用され、これらの項目には、「参照キーワード」（又は「をも見よ参照」）から参照すべき「統一キーワード」の件数と、「参照キーワード」（又は「をも見よ参照」）から参照される１つ又は複数（１〜Ｎ）の「統一キーワード」の「キーワードコード」がそれぞれ格納される。
【００４５】
例えば、上記図３（Ａ）に示した例では、図４に示されるような基本ファイルＢＦ１が作成され、複数のキーワード「血液型」、「血清」、「赤血球」、「血」、「白血球」からなる「参照キーワード」が、「血液」という「統一キーワード」とリンクされる。
【００４６】
一方、上記図３（Ｂ）に示した例では、図５に示されるような基本ファイルＢＦ２が作成され、「観察」という「参照キーワード」が、「貝の観察」、「気象観察」、「顕微鏡観察」、・・・、「動物観察」、「野鳥観察」の複数のキーワードからなる「統一キーワード」とリンクされる。
【００４７】
もちろん、「をも見よ参照」を用いて、「統一キーワード」と「参照キーワード」を互いにリンクし、相互に参照可能にすることも可能である。
【００４８】
なお、上記「学習件名ファイル」の場合には、更に、図６の基本ファイルＢＦ３に示されるような、キーワードと関連付けされた、書籍の「分類符号」が格納される。又、上記「読み物・絵本キーワードファイル」の場合には、更に、図７の基本ファイルＢＦ４に示されるような「テーマコード」が格納される。
【００４９】
「学習件名ファイル」の「分類符号」には、書籍が分野別に分類分けされた、図書館における「日本十進分類法」等の分類符号を用いることができる。例えば、図６の基本ファイルＢＦ３には、「キーワード」である「あい（染料）」と、この「キーワード」が関連する書籍の「分類符号（４７９．６４）」が格納されている。従って、この「分類符号（４７９．６４）」近傍の他の「分類符号（４７９．５７）」に対応するキーワード「麻（あさ）」を検索可能とすれば、キーワード「麻（あさ）」を新たなキーワードとして図書の検索をすることができ、キーワードの関連分野を含めた、より広範囲の図書検索を実現することができる。
【００５０】
又、「読み物・絵本キーワードファイル」の「テーマコード」は、図８に示されるような階層構造となっており、第１階層の「テーマ」と、この「テーマ」を細分化して構成された第２階層の「サブテーマ」と、この「サブテーマ」内で順番付けされた第３階層の「サブテーマ内順序」によって構成されている。このように、「テーマコード」では、多くの子供たちの心情と本とを出会わせ、結びつけるために、子供たちの世界（心情）を複数の「テーマ」及び「サブテーマ」に分類分けしている。
【００５１】
例えば、図９に示されるように、「心の触れ合い」という「テーマ」には、「愛とにくしみ」、「人と人のつながり」、「続き物、シリーズ物」等の複数の「サブテーマ」が関連付けされている。このように、「心の触れ合い」という「テーマ」を手がかりに、「愛とにくしみ」というキーワードに基づいた図書検索をすることができれば、小中学生等の児童は、「テーマ」→「サブテーマ」→「サブテーマ内順序（キーワード）」という手順で、多くの図書と出会うことができ、より広範囲の図書検索を実現することができる。なお、本実施形態においては、「テーマ」を１５〜３０、「サブテーマ」を３〜１５、「サブテーマ内順序（キーワード）」を５〜３０程度に厳選し、小中学生等の児童が容易に図書検索を実行できるように最適化した。
【００５２】
次に、管理ファイルＣＦについて詳細に説明する。
【００５３】
図１０に示されるように、管理ファイルＣＦは、主に、データの識別子が格納される「フラグ」と、「書籍コード」と、「シーケンス番号」と、「キーワード情報」と、この「キーワード情報」のデータ数が格納される「データ数」の各項目によって構成されている。
【００５４】
「書籍コード」には、基本ファイルＢＦの「キーワード」を文書中に含む書籍のコードが格納される。
【００５５】
「キーワード情報」は、「キーワードコード」と、「ページ番号」と、「対象学年」の各項目からなり、「キーワードコード」には、基本ファイルＢＦの「キーワード」に対応した「キーワードコード」が格納される。このように、管理ファイルＣＦには、１つの「書籍コード」に対して、基本ファイルＢＦにおける１つ又は複数（１〜Ｎ）の「キーワードコード」が関連付けされ、格納されている。又、「ページ番号」には、書籍における「キーワード」が記載されたページのページ番号が格納され、又、「対象学年」には、書籍の主な対象学年の情報が学年（小学生（低学年、中学年、高学年）、及び中学生）ごとに格納される。
【００５６】
「シーケンス番号」は、１つのレコード内に格納できる「キーワード情報」のデータ数が上限Ｎを超える場合に使用され、他のレコードに「キーワード情報」のデータの続きがあることを示すものである。
【００５７】
なお、管理ファイルＣＦは、更に、書籍のあらすじが格納される図書解説データを有しており、上記「学習件名ファイル」の場合には、「学習件名」に関連する書籍のあらすじが「学習件名図書解説」に格納され、又、上記「読み物・絵本キーワードファイル」の場合には、「読み物・絵本キーワード」に関連する書籍のあらすじが「読み物・絵本図書解説」に格納される。このように、図書検索システム１０は、キーワードに関連する書籍の「書誌データ」のみならず、書籍のあらすじをも知ることができるようになっている。
【００５８】
又、書誌データファイルＤＦには、「書籍コード」に関連付けされた、書籍の「著者名」、「出版社名」、「出版年月」、「分類コード」等の書誌データが格納されている。
【００５９】
図１に戻って、基本ファイル検索部２２は、クライアントパソコン１２によって入力された検索キーである「キーワード」に基づいて、基本ファイルＢＦから「キーワードコード」を抽出するプログラムである。
【００６０】
管理ファイル検索部２４は、基本ファイル検索部２２によって抽出された「キーワードコード」に基づいて、管理ファイルＣＦから「書籍コード」を抽出するプログラムである。
【００６１】
書誌データファイル検索部２６は、管理ファイル検索部２４によって抽出された「書籍コード」に基づいて、書誌データファイルＤＦから書誌データを抽出するプログラムである。
【００６２】
検索結果データ作成部２８は、「キーワード」と、この「キーワード」を検索キーとして抽出された書誌データ等を関連付けした検索結果データを作成するプログラムである。
【００６３】
次に、図１１を用いて、図書検索システム１０の作用について説明する。なお、この例では、検索キーとして「ボランティア」というキーワードが入力された場合を考える。
【００６４】
最初に、基本ファイル検索部２２が、基本ファイルＢＦの「キーワード」を検索し、検索キーである「ボランティア」を特定する（ステップＳ１）。そして、基本ファイルＢＦから、「キーワード（ボランティア）」に対応する「キーワードコード（００５０）」を抽出する（ステップＳ２）。
【００６５】
次に、この「キーワードコード（００５０）」に基づいて、管理ファイル検索部２４が、管理ファイルＣＦの「キーワード情報」を検索し、「キーワードコード（００５０）」を特定する（ステップＳ３）。そして、管理ファイルＣＦから、「キーワード情報」に対応する「書籍コード（１２３４）」と、「キーワード情報」内の「ページ番号」及び「対象学年」のデータを抽出する（ステップＳ４）。
【００６６】
最後に、書誌データファイル検索部２６が、書誌データファイルＤＦの「書籍コード」を検索し（ステップＳ５）、出版社名や分類データ等が格納された「書誌データ」を特定する（ステップＳ６）。
【００６７】
このように検索された各データは、検索結果データ作成部２８によって、「書誌データ」である「書名」、「出版社」、「分類コード」と、書籍の「対象学年」と、「ページ番号」が検索キーの「ボランティア」と関連付けされ、検索結果データが作成される。そして、この検索結果データが、ネットワーク通信部１８を介してクライアントパソコン１２に送信され、例えば、図１２に示されるように、クライアントパソコン１２のディスプレイ画面に表示される。
【００６８】
本発明に係る図書検索システム１０によれば、教科書、学習指導要領、教員用指導書における小中学生の学習項目、及び小中学生の日常生活における興味・関心の対象、及び出版されている図書、の少なくとも一つの題材から抽出した「キーワード」と、この「キーワード」毎に付された「キーワードコード」と、を記録する基本ファイルＢＦと、「キーワード」を文書中に含む書籍の「書籍コード」と、「キーワード」の「キーワードコード」と、を関連付けして記録する管理ファイルＣＦと、書籍に関する書誌データを記録する書誌データファイルＤＦと、検索キーとして入力された「キーワード」に基づいて、基本ファイルＢＦから「キーワードコード」を抽出する基本ファイル検索部２２と、この基本ファイル検索部２２によって抽出された「キーワードコード」に基づいて、管理ファイルＣＦから「書籍コード」を抽出する管理ファイル検索部２４と、この管理ファイル検索部２４によって抽出された「書籍コード」に基づいて、書誌データファイルＤＦから書誌データを抽出する書誌データファイル検索部２６と、少なくとも「キーワード」及びこの「キーワード」を検索キーとして抽出された書誌データが関連付けされた検索結果データを作成する検索結果データ作成部２８と、を備えているため、様々なキーワードに関連する図書を幅広く検索することができる。
【００６９】
特に、キーワードである「学習件名」や「読み物・絵本キーワード」は、教科・領域の学習で必要と思われる事項、子供が日常生活の中で求める項目、及び個別的な項目等、広範囲に渡って抽出されたキーワードであるため、小中学生等の児童が知りたい内容が記載された図書を的確に検索することができる。
【００７０】
更に、ネットワーク通信部１８を備え、検索キーをネットワーク１４に接続されたクライアントパソコン１２から受信可能とすると共に、検索結果データをクライアントパソコン１２に送信可能としたため、１台のホストコンピュータ１６を複数のクライアントパソコン１２で共有することができ、クライアントは図書検索システム１０を低コスト、且つ、迅速に導入することができる。
【００７１】
又、基本ファイルＢＦにおけるキーワードは、「統一キーワード」と、この「統一キーワード」に対して下位概念となる複数の下位概念キーワード、又は複数の「統一キーワード」の上位概念となる上位概念キーワードからなる「参照キーワード」と、を有して構成されているため、様々なキーワードに基づいて１つのキーワードを導き出すことができると共に、１つのキーワードに基づいて関連する複数のキーワードを導き出すことができ、より一層、幅広い検索が可能となっている。
【００７２】
更に、管理ファイルＣＦは、書籍におけるキーワードが記載されたページの「ページ番号」及び書籍の主な「対象学年のデータ」を含んでなり、「ページ番号」及び「対象学年のデータ」を、「キーワードコード」に基づいて管理ファイル検索部２４によって抽出すると共に、検索結果データ作成部２８によってキーワードと関連付けた検索結果データを作成可能であるため、書名、出版社名等の「書誌データ」のみならず、キーワードが記載されているページ番号及び書籍の主な対象学年の情報を知ることができ、更に利便性が高められている。
【００７３】
又、本発明に係る図書検索システム１０は、上述したような基本ファイルＢＦ及び管理ファイルＣＦからなるデータ構造を有しているため、様々なキーワードに関連する図書を幅広く検索することができる上に、キーワードの更新、追加等が容易である。
【００７４】
従って、例えば、図１３に示されるように、キーワード及びそのキーワードコードに関連付けされた、小中学生用教科書の学習単元からなる「教科書キーワード」を有してなる教科書キーワードファイルＴＦを備え、この「教科書キーワード」を検索キーとして図書の検索を可能とすれば、更に幅広い図書検索を行うことができる。
【００７５】
なお、上記実施形態においては、図書検索システム１０を、複数のクライアントパソコン１２と、このクライアントパソコン１２にネットワーク１４を介して接続された１台のホストコンピュータ１６と、によって構成したが、本発明はこれに限定されるものではなく、例えば、クライアントパソコン１２が有するハードディスクや、ＤＶＤ等のコンピュータ読み取り可能な記録媒体等に、基本ファイルＢＦや管理ファイルＣＦ等の図書検索システム１０用のデータを記録してもよい。
【産業上の利用可能性】
【００７６】
本発明は、小中学校や図書館等における図書検索システムに適用することができる。
【図面の簡単な説明】
【００７７】
【図１】本発明の実施形態に係る図書検索システムの概略構成図
【図２】本発明の実施形態に係る基本ファイルの概略構成図
【図３】図２における基本ファイルの参照項目と統一キーワードの関係を示した図
【図４】図３（Ａ）に対応する基本ファイルの例を示した図
【図５】図３（Ｂ）に対応する基本ファイルの例を示した図
【図６】図２における基本ファイルの分類符号の例を示した図
【図７】図２における基本ファイルのテーマコードの例を示した図
【図８】図７におけるテーマコードの構成を示した図
【図９】図８におけるテーマコードの分類の例を示した図
【図１０】本発明の実施形態に係る管理ファイルの概略構成図
【図１１】図１における図書検索システムの動作例を示した図
【図１２】図１における図書検索システムの検索結果の例を示した図
【図１３】図２における基本ファイルに教科書キーワードを含めた例を示した図
【図１４】従来の図書検索システムの概略構成図
【図１５】図１４におけるデータ記憶部の概略構成図
【符号の説明】
【００７８】
ＢＦ…基本ファイル
ＣＦ…管理ファイル
ＤＦ…書誌データファイル
ＴＦ…教科書キーワードファイル
１、１０…図書検索システム
２…データ記憶部
３…入力部
４…データ抽出部
５…表示部
１２…クライアントパソコン
１４…ネットワーク
１６…ホストコンピュータ
１８…ネットワーク通信部
２０…記憶装置
２２…基本ファイル検索部
２４…管理ファイル検索部
２６…書誌データファイル検索部
２８…検索結果データ作成部
【図１】
2005215736.tif 000003
【図２】
2005215736.tif 000004
【図３】
2005215736.tif 000005
【図４】
2005215736.tif 000006
【図５】
2005215736.tif 000007
【図６】
2005215736.tif 000008
【図７】
2005215736.tif 000009
【図８】
2005215736.tif 000010
【図９】
2005215736.tif 000011
【図１０】
2005215736.tif 000012
【図１１】
2005215736.tif 000013
【図１２】
2005215736.tif 000014
【図１３】
2005215736.tif 000015
【図１４】
2005215736.tif 000016
【図１５】
2005215736.tif 000017